(57)【特許請求の範囲】
【請求項１】
平板状のベース部と、サイド部と、支持部材と、からなる除雪具において、
前記ベース部の一端側に前記サイド部が略垂直方向に起立し、
前記サイド部が起立した前記ベース部の面上の前記サイド部と反対側の他端側に、支持部材を設け、雪による力により反り、雪による力がなくなると元の状態に戻るガイド部を前記ベース部、前記支持部材の少なくともいずれかに設けたことを特徴とする除雪具。
【発明の詳細な説明】
【技術分野】
【０００１】  本発明は、雪庇を含む屋根面などの雪の除雪具に関するものである。
【背景技術】
【０００２】  屋根から突き出したいわゆる雪庇や屋根面の雪は、自重などで予告無く落下するため危険である。また、屋根の先の部分をその自重で折り曲げ、建物を損壊させることから、定期的な除去が必要とされている。【０００３】  積雪量が同一の地域では一斉に作業を実施する必要があるものの、高齢化により作業者が減少しているために必要な作業量が確保できず、適切な時期に作業が実施されない建物の損壊が増加している。
屋根面の雪の除去は、作業者が屋根に上がりスコップで雪に複数回の切込みを入れて、その雪をスコップですくい上げ、地上に投げ下ろす動作を繰り返すという作業が一般的である。この作業は重労働であるが、屋根の端で作業する必要があり、屋根からの落下の危険性が高いことから、屋根から落下して死亡する事故が毎年発生している。【０００４】  そのため、雪庇を含む屋根面の雪の除去を効率的で安全に行うことができる除雪具が必要とされている。
当然ながら、屋根面に上ることなく作業することができれば、屋根から落下する危険がない。
そこで、特許文献１の除雪具が提案されている。【０００５】  特許文献１の除雪具は、地上から雪を除去する際には、除去しようとする雪の落下する方向、または雪の進行する方向に作業者が位置して作業することを前提とした構造であるため、作業者に雪が衝突する危険性がある。
そのため、これに代わる雪庇を含む屋根面の雪の安全な除去方法の普及が必要とされていて、例えば、特許文献２の請求項２の除雪具では、支持部材に雪を粉砕するためのカッターを設け、作業者に雪が衝突しないようにすることが提案されている。
しかし、雪庇のほぼ真下で作業するとき、特許文献２の請求項２の除雪具で提案されている落下する雪を割るための板は、雪を割ることができない、あるいは雪が割れても、割れた雪が作業者に直進して衝突するため、作業の安全性に寄与しないものであった。
また、雪を割るための板を設けても、通常は支持部材の上を雪が滑走するため、雪の移動の際に支持部材を安定させる必要があることから、作業者の肉体的負担が生じるとともに、支持部材が曲がるといった損壊の原因となっていた。加えて、雪を割るための板を設けることで、雪との抵抗が増加し、作業者に肉体的負担を生じさせていた。【０００６】  これまで提案されている除雪具は、作業者が地上から雪を除去する場合は、除去しようとする雪の落下する方向、または雪の進行する方向に作業者が位置して作業することを前提とした構造である。そのため、これまで提案されている除雪具で、作業者が地上から雪を除去する際に安全に作業するためには、落下する雪との距離を確保し、あるいは十分な角度を得る必要があるため、十分に長い支持部材を用いて作業する必要がある。【０００７】  しかし、支持部材を無制限に長くすることは、費用の面から不可能である。しかも、支持部材を長くするほど作業者の肉体的負担は重くなり、作業がしづらくなる。
そのため、支持部材に十分な長さがなかったり、十分な長さがある支持部材であってもその重さや作業性から作業者が支持部材を短く持ったりすることから、実際には落下する雪との距離の確保、もしくは十分な角度を得ることができなかったため、安全性の確保が不十分であった。特に２階などの高い位置の雪庇を除去する際は、実際には危険な位置である雪庇のほぼ真下で作業してしまうことがほとんどであった。【０００８】  自然に、あるいは除雪具が生じさせた雪の動きや屋根への振動などによって、雪庇を含む屋根面の雪は、除雪具で除雪している箇所のみならず、これに続く縦方向または横方向の雪が意図せずに落下することがある。
作業者の足元は雪があったり、凍結したりしていて滑りやすくなっていることがほとんどである。意図せず落下した雪に驚いて転倒する危険性は高く、落下した雪を避けることができなかったり、雪が落下する位置に転倒したりしてしまう危険性があった。【０００９】  雪国では、雪質や除去する雪の箇所などによって様々な除雪具が用いられ、１軒の家庭で数種類のスコップと小型のバケットのような雪の除雪具と氷柱を落とす道具とをあわせて所持している家庭が一般的であるなど、除雪具などの購入費用が負担となっている。また、様々な除雪具を所持することで、収納場所の確保が必要となっている。【００１０】  そのため、雪庇を含む屋根面の雪の除雪具においても、地上から作業するためとしての除雪具と屋根面に上り作業するためとしての除雪具と、複数の除雪具を購入することなく、いずれの作業も可能である除雪具が求められている。【００１１】  作業者の肉体的負担を少なくするためには、除雪具に軽さに加えて、雪を切る際に生じる抵抗が少なく、かつ一度に除去できる雪の量が多いことが求められている。シンプルな構造とすることで軽さと雪を切る際の抵抗を少なくさせる方法ことは有効である。例えば、特許文献２の請求項３の除雪具はシンプルな構造である。【００１２】  しかし、特許文献２の請求項３の除雪具は、除去しようとする雪の落下する方向、または雪の進行する方向に作業者が位置して作業することを前提とした構造であり、安全性の確保が不十分であり、支持部材が雪を切る際の抵抗になるなど、作業者の肉体的負担を少なくするには不十分であった。
また、作業者が屋根に上がり屋根面の雪の除去をすることを前提としていない構造のため、屋根の上からの作業のために他の道具を購入する必要があるため、経済的ではなく、また、収納場所の確保の点でも問題があった。
【先行技術文献】
【特許文献】
【００１３】
【特許文献１】登録実用新案第３１２０８８０号
【特許文献２】登録実用新案第３１８１８６７号
【発明の概要】
【発明が解決しようとする課題】
【００１４】  本発明は、雪庇を含む屋根面の雪の除去を安全に行うことができる除雪具の提供を大きな課題とする。その安全面での課題は、以下の２つである。【００１５】  安全面での課題の１つは、屋根のほぼ真下に位置して作業する場合の安全性の確保である。
屋根のほぼ真下での作業は、当然に避けるべきもの、あるいはしないものとして認識されてきた。それは、雪庇や雪庇に付属した氷柱がいつ落下するか分からず、特に氷柱は顔や頭に容易に突き刺さり死に至ることがあり、雪庇が作業者にぶつかると転倒に伴う骨折などで重大な事故につながる危険性が高いうえ、雪庇や雪庇に付属した氷柱の落下から逃げることは、これらが作業者にぶつかるまでの時間も短く、しかもその落下にも気付きにくい位置でもあるため、明らかに危険な作業であることが要因である。
一方で、実際には、無意識に最小限の労力で作業をしようと、屋根のほぼ真下に向かって作業者が無意識のうちに移動し、結果的に危険な位置で作業してしまうことがあった。作業者に雪がぶつかることがあっても、それでもなお安全性の確保の必要性が意識されてこなかったのは、その場所での作業が明らかに危険であり、屋根のほぼ真下で作業すべきではないということが無意識のうちに大前提となっているが故に、屋根のほぼ真下での作業における安全性についてこれまで課題とされてこなかった。
こうした理由でこれまで気付かれずにいた、屋根のほぼ真下に位置して作業する場合の安全性の確保を課題とする。【００１６】  安全面での課題の１つは、地上で作業する際に「次に落下させようとする雪」に対する安全性の確保である。
落下させようとする雪は、大きくは２つに区分できる。一つは作業者が作業によって「まさに落下させようとする雪」であり、もう一つは、「次に落下させようとする雪」である。そして、「まさに落下させようとする雪」と「次に落下させようとする雪」は、一般的に縦方向と横方向に連続している。
自然に、あるいは除雪具が生じさせた雪の動きや屋根への振動などによって、除雪具で「まさに落下させようとする雪」のみならず、「まさに落下させようとする雪」の横方向に連続した「次に落下させようとする雪」が意図せず落下することがあった。意図して落下させようとする雪に対して注意が向くあまり、意図せず落下した雪に対してほとんど注意が払われないことから、作業者やその周辺にいる人などに思わぬ大きな危害が加えられる危険があった。特に「まさに落下させようとする雪」の縦方向に連続した屋根上の雪が一緒に雪崩のごとく落下するときは、雪が落下する位置に作業者が位置している可能性が高く大変危険であった。
しかし、「次に落下させようとする雪」の落下が常に発生するものではなく、また、これまでは、「まさに落下させようとする雪」が作業者にぶつからないことを重要な課題として意識されてきたため、これまで課題とされてこなかった。
こうした理由でこれまで気付かれずにいた、地上で作業する際に「次に落下させようとする雪」に対する安全性の確保を課題とする。【００１７】  加えて、本発明では、雪庇を含む屋根面などの雪の除去において、作業者の肉体的負担が少なく、効率的で、経済的で収納場所の確保に寄与する、地上からも屋根の上からも作業が可能である除雪具の提供を課題とする。
【課題を解決するための手段】
【００１８】  上記の課題を解決するべく本発明は以下の構成を提供する。なお、括弧内の符号は、後述する図面中の符号であり、参考のために付するものである。【００１９】  本発明の除雪具のひとつは、平板状のベース部と、サイド部と、支持部材と、からなる除雪具であって、ベース部の一端側にサイド部が略垂直方向に起立し、サイド部が起立するベース部の面上の、サイド部と反対側の他端側に、支持部材を設け、雪による力により反り、雪による力がなくなると元の状態に戻るガイド部を前記ベース部、前記支持部材の少なくともいずれかに設けたことを特徴とする。【００２０】上記の除雪具にあっては、平板状のベース部の一端側にサイド部が略垂直方向に起立し、サイド部が起立するベース部の面上の、サイド部と反対側の他端側に、支持部材を設けたので、雪庇を含む屋根面などの雪を一定の大きさに容易に切ることができ、また、ベース部とサイド部のみで雪を切ることができ、支持部材が抵抗とならず、雪を切る際に生じる抵抗も最小となる。なお、屋根の軒方向などの上方向に支持部材を突き上げることで雪を切ることが可能となるが、ベース部を雪庇に引っ掛けるようにしたうえで支持部材を下方向に引くことで雪庇を容易に削りとることも可能となる。
また、図１１で示すように例えば右側にサイド部が位置している場合は、地上から作業する際には屋根の左端側から作業を始めて雪の左端を支持部材より右側に位置させて、サイド部とベース部のみを雪に突き刺して作業すれば、すでに記したベース部とサイド部と支持部材との構成であるため、作業者が「まさに落下させようとする雪」（Ｓ１）および「次に落下させようとする雪」（Ｓ２）のいずれの落下、または進行する方向に作業者を位置せずに作業が可能となる。そして、屋根の上から作業する際には、屋根の左端側から作業を始めて雪の左端を支持部材より右側に位置させて作業することで、雪庇を含む屋根面などの雪の除去が可能である。【００２１】
【００２２】
【００２３】
【００２４】
【００２５】
【００２６】  上記除雪具において、雪による力により反り、雪による力がなくなると元の状態に戻るガイド部をベース部、支持部材の少なくともいずれかに設けたことによって、ガイド部が雪による力により反ることで見え方が変化するために、雪が除雪具に対してどの位置にあるか目視しやすくなる。【００２７】
【００２８】
【発明の効果】
【００２９】  本発明に係る除雪具は、ベース部と、サイド部と、支持部材と、からなる除雪具において、ベース部の一端側にサイド部が立設され、サイド部と反対側の他端側に支持部材が設けられている。
これにより、雪庇を含む屋根面などの雪を一定の大きさに容易に切断することができる。
また、サイド部と反対側の他端側に支持部材を設けたことにより、例えば右側にサイド部が位置している場合は、地上から作業する際に屋根の左端側から作業することで、左側に支持部材があるために、支持部材の左側に立って作業すると、作業者が「まさに落下させようとする雪」および「次に落下させようとする雪」のいずれの落下、または進行する方向に作業者が位置せずに作業が可能となるため、これまでの除雪具とは全く異質な高い安全性が確保され、極めて大きな効果が得られる。
また、これまでの除雪具と違って支持部材が抵抗とならず、ベース部とサイド部のみで雪を切ることができるため、雪を切る際に生じる抵抗も最小となる。加えて、そのシンプルな構造なため除雪具を軽量にすることができ、また、かつ一度に除去できる雪の量も多いこともあり、作業者の肉体的負担の少ない、効率的な作業が行える効果が得られる。
そして、複雑な形状ではないため経済的に作製することが可能で、地上からも屋根の上からも作業が可能であり、複数の除雪具を購入する必要がなく経済的で収納場所の確保にも寄与するという効果も得られる。【００３０】  更に、支持部材の先端において支持部材の軸の延長方向と直交する線より、ベース部とサイド部を支持部材の基端部側に位置させれば、雪庇を含む屋根面の雪を地上から除去しようとする際に、作業者が危険な位置で作業している場合は、支持部材に抵抗が生じるため、雪の落下を防ぐとともに、危険な位置で作業していることを認識させることができ、よって、安全な作業が可能となるという効果が得られる。
具体的には、例えば右側にサイド部が位置している場合は、地上から作業する際に屋根の左端側から作業することで、左側に支持部材があるために、支持部材の左側に立って作業すると、作業者が「まさに落下させようとする雪」および「次に落下させようとする雪」のいずれの落下、または進行する方向に作業者が位置することなく作業することが可能となる。そうした安全な位置で作業している場合は、支持部材を突き上げる際に支持部材の軸の延長方向に雪がないことになる。しかし、雪と空の雲が重なったり、視界に太陽光などの光が入ることで見づらくなったりするなどして、雪の位置を見誤ることがあり、誤って危険な位置で作業を始めてしまうことがある。支持部材の軸の延長方向に雪があれば、抵抗部が抵抗となり、雪に突き刺さりにくくなり、雪の落下を防ぐとともに、手に伝わる抵抗感により、支持部材の軸の延長方向に雪があることを認識することが可能となる。そのため、作業者が危険な位置で作業していることを認識でき、そこから移動して正しい安全な位置で作業し直すことができるため、安全な作業が可能となるという効果が得られる。【００３１】  また、サイド部が起立したベース部の面を含む面を底面とし、サイド部が起立する方向に広がる空間に抵抗部を設ければ、例えば右側にサイド部が位置している場合は、地上から作業する際には屋根の左端側から作業を始めて雪の左端を支持部材より右側に位置させて作業することで、作業者が「まさに落下させようとする雪」および「次に落下させようとする雪」のいずれの落下、または進行する方向に作業者を位置せずに作業しようとする際には、抵抗部が雪を切る際の抵抗とはならないうえに、また、サイド部が起立したベース部の面を含む面を底面とし、サイド部が起立する方向に広がる空間にあり、ベース部の支持部材の基端部側の端から支持部材の先端側に、支持部材の軸の延長方向に略対向する面を有することとすれば、ベース部により雪が切られ作業者に落下、または進行する前に抵抗部が抵抗となり、雪に突き刺さりにくくなり、雪の落下を防ぐとともに、手に伝わる抵抗感により、抵抗部の支持部材の軸の延長方向側に雪があることをより認識しやすくなるという効果が得られる。【００３２】  また、雪による力により反り、雪による力がなくなると元の状態に戻るガイド部をベース部、支持部材の少なくともいずれかに設けることで、ガイド部が雪の力により反ることで見え方が変化するために、雪が除雪具に対してどの位置にあるか目視しやすくなる。そして、やわらかい雪など抵抗の少ない雪の場合でも、危険を察知しやすくなり、作業者の安全に寄与するという効果が得られる。
例えば、ベース部の中央からサイド部と反対側の他端側にかけて複数のガイド部をベース部上に配置して立設させれば、ガイド部の反りを確認することで雪が支持部材側にどれだけ近い位置にあるかを目視しやすくなる。また、ベース部のサイド部と反対側の他端側に、ガイド部を支持部材の軸の延長方向と直交するように配置すれば、ガイド部の反りが確認されることで、作業者にぶつかる恐れのある雪の存在を視覚的によりよく認識でき、危険して安全を確保することができる。【００３３】  更にまた、ベース部に滑りシートを付けたことで、屋根の傾斜角度が緩やかであっても、除去しようとする雪が切断された後に自重により地上に滑り落ちやすくなるという効果が得られる。
【図面の簡単な説明】
【００３４】
【図１】本発明の除雪具の一実施の形態に係る除雪具の構成の一部を表す図である。
【図２】図１に示した除雪具の構成の一部を取り出して表す図である。
【図３】本発明の除雪具の一実施の形態の変形例の構成の一部を表す図である。
【図４】本発明の除雪具の一実施の形態の他の変形例の構成の一部を表す図である。
【図５】本発明の除雪具の一実施の形態の他の変形例の構成の一部を表す図である。
【図６】本発明の除雪具の一実施の形態の他の変形例の構成の一部を表すものを支持部材側から見た側面図である。
【図７】本発明の除雪具の一実施の形態の他の変形例の構成の一部を表す図である。
【図８】本発明の除雪具の一実施の形態に係る除雪具の構成を表す図である。
【図９】本発明の除雪具の一実施の形態に係る除雪具の構成を表す図である。
【図１０】本発明の除雪具の一実施の形態の他の変形例の構成の一部を表す図である。
【図１１】図１に示した除雪具の使用方法を説明する図である。
【発明を実施するための形態】
【００３５】  以下、本発明の実施の形態について図面を参照して詳細に説明する。
【００３６】  図１および図２は、本実施の形態に係る構成の一部を表すものである。除雪具は、平板状のベース部１０と、ベース部１０の一端側に略垂直方向に立設されたサイド部１１と、サイド部１１の反対側の他端側に設けられた棒状の支持部材１２とを有している。
【００３７】  ベース部１０は、例えば、板状であり、長さＬ１は、例えば、３０ｃｍから５０ｃｍ程度であり、幅Ｗ１は、例えば、２．５ｃｍから１０ｃｍ程度であり、厚さＴ１は、例えば、２ｍｍから４ｍｍ程度である。
【００３８】  サイド部１１は、例えば、板状であり、長さＬ２は、例えば、３０ｃｍから５０ｃｍ程度であり、幅Ｗ２は、例えば、２．５ｃｍから１０ｃｍ程度であり、厚さＴ２は、例えば、２ｍｍから４ｍｍ程度である。また、サイド部１１はベース部に対して垂直に立設するようにすれば、１回に除去する雪の量が把握しやすく無駄がない作業ができ、サイド部に加わる耐力が少なく耐久性の面でも有利であるので好ましい。
【００３９】  支持部材１２の長さは、雪庇の生成された位置など除去する雪の位置や作業者の作業のしやすさに長さとすればよく、例えば、１ｍ以上８ｍ以下程度である。支持部材１２は、例えば、一本の棒状部材であってもよいし、複数本の棒状部材をつなげ合わせるようにしたものであってもよく、また、伸縮を可能とする棒状の伸縮部材でもよい。中でも、複数本の棒状部材をつなげ合わせるようにしたもの、および伸縮を可能とする棒状の伸縮部材は、持ち運びに便利であり、特に、伸縮を可能とする棒状の伸縮部材は、組み立てる手間が必要ないので、より便利である。このような伸縮部材としては、例えば、玉網の玉ノ柄が挙げられる。また、支持部材１２に必要な強度を損ねない大きさの数の複数の貫通穴を設けると、軽量と作業しやすくなるので好ましい。支持部材１２は、例えば、作業者が握持する部分にゴム等の滑り止め効果の高い部材を用いたり、グリップを備えたりしたものとすれば、握持しやすくなるので好ましい。
【００４０】  このように、ベース部１０およびサイド部１１を所定の幅を有する板状部材により構成するようにすれば、除雪具が十分な強度を得ることができ、硬くなった雪であっても、容易に除去することができるので好ましい。ベース部１０およびサイド部１１は、例えば、ステンレスやアルミニウム等の金属やポリカーボネートや繊維強化プラスチック等の強化プラスチックにより構成することが好ましい。
【００４１】  ベース部１０は、支持部材１２と着脱可能とされていることが好ましい。コンパクトに持ち運ぶことができると共に、支持部材に他の除去部材を結合することもできるからである。
【００４２】  なお、ベース部１０は、例えば、図３に示したように、複数の貫通孔を有する板状部材にし、加えて支持部材１２を差し込むことができる形状を有する板状部材にしてもよく、サイド部１１は、複数の貫通孔を有する板状部材としてもよい。複数の貫通孔を有する板状部材とすることで、雪が除雪具から滑走しやすくなり、また、除雪具を軽量にすることができるからである。
【００４３】  ベース部１０は、例えば、図４に示したように、ベース部１０の底部から差し込まれた支持部材の軸の中心までの高さＨ１が支持部材の軸の幅の半分を超える高さの形状を有する板状部材にしてもよい。屋根の上で作業する場合は、支持部材を持つ位置が腰に近い高さであれば作業しやすくなるために作業者の負担軽減や作業の効率化が、また、地上から作業する場合は安全性がより高まる効果が、得られるからである。この場合の高さＨ１は、屋根の上での作業性を重視するならば作業者の身長を考慮した高さとすればよく、また、地上での作業の安全性を重視するならば作業者の肉体的負担と安全性とのバランスを考慮した高さとすればよく、例えば、２０ｃｍ以上５０ｍ以下程度である。
【００４４】  図５および図６は、本実施の形態に係る除雪具の一実施の形態の他の変形例の構成の一部を表すものである。
図５および図６において、支持部材２２の先端において支持部材２２の軸の延長方向と直交する線より、ベース部２０とサイド部２１が支持部材２２の基端部側に位置する。
【００４５】  支持部材２２の先端が凹形状、または支持部材の軸の延長方向と略直交する略面とすれば、支持部材が雪に突き刺さりにくくなり、作業者に抵抗も伝わりやすいので好ましい。
【００４６】  支持部材２２の先端において支持部材２２の軸の延長方向と直交する線から、ベース部２０とサイド部２１において支持部材２２の先端部側にあるものの支持部材２２側の先端までの距離Ｄ１は、支持部材２２の雪への突き刺さりやすさや雪の落下のしやすさなどの安全面と作業のしやすさを考慮した距離とすればよく、例えば、１０ｃｍ以上５０ｍ以下程度である。
【００４７】
【００４８】  図７は、本実施の形態に係る除雪具の一実施の形態の他の変形例の構成の一部を表すものである。
図７において、サイド部３１が起立したベース部３０の面を含む面を底面とし、サイド部３１が起立する方向に広がる空間にあり、ベース部３０の支持部材３２の基端部側の端から支持部材３２の先端側に、支持部材３２の軸の延長方向に略対向する面を有する抵抗部３３を設けている。
【００４９】  抵抗部３３にある支持部材３２の軸の延長方向に略対向する面は、支持部材３２の軸の延長方向と直交する略面、または凹形状とすれば、抵抗部３３雪に突き刺さりにくくなり、作業者に抵抗も伝わりやすいので好ましい。
抵抗部３３は、例えば、Ｌ字状板であり、軸の延長方向に対向する面を有していて、その面の高さは、例えば、５ｃｍから１５ｃｍ程度であり、その面の幅は、例えば、５ｃｍから１５ｃｍ程度であり、その面の厚さは、例えば、３ｍｍから５ｍｍ程度である。
抵抗部３３は、例えば、ステンレスやアルミニウム等の金属やポリカーボネートや繊維強化プラスチック等の強化プラスチックにより構成することが好ましい。
【００５０】
【００５１】本実施の形態に係る除雪具にあっては、雪による力により反り、雪による力がなくなると元の状態に戻るガイド部をベース部、支持部材、抵抗部の少なくともいずれかに設けている。
【００５２】  ガイド部は、雪による力がなくなると元の状態に戻る力や目視のしやすさなどを考慮した大きさとすればよく、例えば、幅は１ｍｍ以上４ｃｍ以下程度であり、長さは４ｃｍ以上１５ｃｍ以下程度であり、その面の厚さは、例えば、１ｍｍから５ｍｍ程度である。
ガイド部は、例えば、ゴム、プラスチックなど素材そのものに元に戻る性質がある素材とするか、あるいはバネ構造を有した構造とすることが望ましい。
【００５３】
【００５４】  図８は、本実施の形態に係る除雪具の一実施の形態に係る除雪具の構成を表す図で、ベース部４０の略中央からサイド部４１と反対側の他端側にかけて複数のガイド部４３をベース部４０上に配置して立設させた形態を表すものである。
図９は、本実施の形態に係る除雪具の一実施の形態に係る除雪具の構成を表す図で、ベース部５０のサイド部５１と反対側の他端側に、ガイド部５３を支持部材５２の軸の延長方向と直交するように配置したものである。
【００５５】  図１０は、本実施の形態に係る除雪具の一実施の形態の他の変形例の構成の一部を表すものであり、ベース部６０に滑りシート６３を付けたことを特徴とする。
【００５６】  滑りシート６３は、例えばサイド部６１を一方の端として、もう一方の端を支持部材６２よりサイド部６１側に位置する幅のものとすればよく、厚さは材質の切れにくさなどにもよるが、例えば０．１ｍｍから１ｍｍ程度である。長さは、屋根の長さや滑りシート６３の重さと作業のしやすさを考慮したものとすればよいが、例えば１ｍ以上７ｍ以下程度である。また、滑りシート６３の材質は、薄手であっても切れにくく、軽量で、耐候性があり、雪や氷が滑りやすい材質が適しており、例えばポリ塩化ビニールやポリアミドなどのプラスチックなどである。
【００５７】  以上、実施の形態を挙げて本発明を説明したが、本発明は上記実施の形態に限定されるものではなく、種々変形可能である。例えば、ベース部、サイド部、支持部材が脱着可能であってもよく、図では矩形の板状のサイド部は棒状でも三角形の板状でもよく、このように他の形状を有してもよい。
【符号の説明】
【００５８】１０…ベース部、１１…サイド部、１２…支持部材、
２０…ベース部、２１…サイド部、２２…支持部材、
３０…ベース部、３１…サイド部、３２…支持部材、３３…抵抗部、
４０…ベース部、４１…サイド部、４２…支持部材、４３…ガイド部、
５０…ベース部、５１…サイド部、５２…支持部材、５３…ガイド部、
Ｓ１…まさに落下させようとする雪、Ｓ２…次に落下させようとする雪、
Ｓ３…屋根面を滑走中の雪、Ｓ４…屋根面から落下してきた雪、Ｈ…作業者
【図１】
0006689483.tif 000002
【図２】
0006689483.tif 000003
【図３】
0006689483.tif 000004
【図４】
0006689483.tif 000005
【図５】
0006689483.tif 000006
【図６】
0006689483.tif 000007
【図７】
0006689483.tif 000008
【図８】
0006689483.tif 000009
【図９】
0006689483.tif 000010
【図１０】
0006689483.tif 000011